(57)【要約】【課題】冷房運転時など熱交換器が凝縮器として作用するときでも凝縮器や圧縮機からの発熱の影響を受けず、電装部品の放熱部である放熱フィンの冷却を効率良く行う。【解決手段】機械室７と送風室４とに跨るように配置された電装部品箱８の送風室４側に取付けられ電装部品の熱を放出する放熱部９である放熱フィン３０を冷却するため、室外機本体２１の天板フランジ２７の熱交換器上端面２８と天面との間に、放熱フィンと対向した位置に開口された外気取り入れ口２９を設ける。【選択図】図１
2005083618.tif 000002
【特許請求の範囲】
【請求項１】
天板と、仕切り板と、前記仕切り板により仕切られ、熱交換器および送風機を配置した送風室と圧縮機および冷媒配管を配置した機械室と前記機械室と送風室とに跨るように配置された電装部品箱と前記電装部品箱の送風室側に取付けられ電装部品の熱を放出する放熱部とを備え、前記天板のフランジ部に設けられ、前記熱交換器の熱交換器上端面と室外機本体の天面との間に、前記放熱部と対向した位置に開けられた、外気取り入れ口を有する空気調和機の室外ユニット。
【請求項２】
天板のフランジ部に設けられた外気取り入れ口から放熱部へ外気を誘導する誘導部を有する請求項１に記載の空気調和機の室外ユニット。
【請求項３】
誘導部を、送風室内に設けられた送風機用電動機を取付ける電動機取付け台と一体に設けた請求項２に記載の空気調和機の室外ユニット。
【請求項４】
誘導部を、電装部品箱と一体に設けた請求項２に記載の空気調和機の室外ユニット。
【請求項５】
誘導部は少なくとも放熱部のフィンと対向する部位まで設けられている請求項２〜４のいずれか１項に記載の空気調和機の室外ユニット。
【発明の詳細な説明】
【技術分野】
【０００１】
本発明は空気調和機の室外ユニットに関するものである。
【背景技術】
【０００２】
従来、この種の空気調和機の室外ユニットでは熱交換器により熱交換された空気により電装部品の放熱部を冷却していた。
【０００３】
図６は、従来の空気調和機の室外ユニットを示すものである。図６に示すように、外箱１と、熱交換器６と、送風機７と、送風室２と圧縮機４と、機械室と、電装品箱５と、電装部品の放熱部５ｂ、から構成され、送風室４と機械室７を仕切る仕切板３の表面に導風体３ａが設けられ、導風体３ａによって導かれた風が積極的にヒートシンク５ｂを冷却する構成となっている（例えば、特許文献１参照）。
【特許文献１】特開平１０−２６３７２号公報
【発明の開示】
【発明が解決しようとする課題】
【０００４】
しかしながら、前記従来の構成では、放熱部を冷却する空気は外部から熱交換器を通して熱交換された後、電気部品の放熱部を冷却し外部へ放出されるので、冷房運転時で前記熱交換器が凝縮器として作用した場合、熱交換した後の空気は外気温より高くなるため、冷却効率が悪いという課題を有していた。また送風経路が複雑になり十分な風量が得られないため冷却効率が悪くなるという課題を有していた。
【０００５】
本発明は、前記従来の課題を解決するもので、冷房運転時など熱交換器が凝縮器として作用するときでも、熱交換器や圧縮機からの発熱の影響を受けず、送風経路も簡単で十分な風量が得られ、電装部品の放熱部の冷却が効率良く行える、空気調和器の室外ユニットを提供することを目的とする。
【課題を解決するための手段】
【０００６】
前記従来の課題を解決するために、本発明の空気調和機の室外ユニットは天板と、仕切り板と、前記仕切り板により仕切られ熱交換器および送風機を配置した送風室と圧縮機および冷媒配管を配置した機械室と前記機械室と送風室とに跨るように配置された電装部品箱と前記電装部品箱の送風室側に取付けられ電装部品の熱を放出する放熱部とを備え、前記天板のフランジ部に設けられ、前記熱交換器の上端面と室外機本体の天面との間に、前記放熱部と対向した位置に開口された外気取り入れ口を備えた構成としたものである。
【０００７】
これによって、電装部品の放熱部は外部からの冷気により直接冷却することができ、また送風経路も簡単で十分な冷却風量を得ることができる。
【発明の効果】
【０００８】
本発明の空気調和機の室外ユニットは、電装部品の放熱部を外部からの冷気により直接冷却することができ、冷房運転時など熱交換器が凝縮器として作用するときでも電装部品の放熱部の冷却を効率良く行うことができる。また送風経路も簡単で十分な冷却風量を得ることができ放熱部の冷却を効率良く行うことができる。
【発明を実施するための最良の形態】
【０００９】
第１の発明は天板と、仕切り板と、前記仕切り板により仕切られ、熱交換器および送風機を配置した送風室と圧縮機および冷媒配管を配置した機械室と前記機械室と送風室とに跨るように配置された電装部品箱と前記電装部品箱の送風室側に取付けられ電装部品の熱を放出する放熱部とを備え、前記天板のフランジ部に設けられ、前記熱交換器の上端面と室外機本体の天面との間に、前記放熱部と対向した位置に開けられた外気取り入れ口を有したことにより、電装部品の放熱部を外部からの冷気により直接冷却することができるため、冷房運転時など熱交換器が凝縮器として作用するときでも、電装部品の放熱部の冷却を効率良く行うことができる。また送風経路も簡単で十分な冷却風量を得ることができ放熱部の冷却を効率良く行うことができる。
【００１０】
第２の発明は、特に、第１の発明の天板に設けられた外気取り入れ口から放熱部へ外気を誘導する誘導部を有することにより、外気取り入れ口から空気を電装部品の放熱部に誘導することができ、効率の良い冷却を行うことができる。
【００１１】
第３の発明は、特に、第２の発明の誘導部を送風室内に設けられた送風機用電動機を取付ける電動機取付け台と一体に設けた構成とすることにより、外気取り入れ口から空気を電装部品の放熱部に誘導することができ、効率の良い冷却を行うことができる。
【００１２】
第４の発明は、特に、第２の発明の誘導部を電装部品箱内に設けた構成とすることにより、外気取り入れ口から空気を電装部品の放熱部に誘導することができ、効率の良い冷却を行うことができる。
【００１３】
第５の発明は、特に、第２〜４のいずれか１つの発明の誘導部を少なくとも放熱部フィンと対向する部位まで設けたことにより効率の良い冷却を行うことができる
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室外ユニットの斜視図を示すものである。
【００１５】
図１において、室外機本体２１は背面および側面を覆う側板２２と前面を覆うベルマウス（図示せず）を形成した前面板２３と、機械室前面を覆う機械室前板２４と天面を覆う天板２５とで外箱１を構成している。室外機本体２１の内部は仕切り板２６により、熱交換器２および送風機３を配置した送風室４と圧縮機５および冷媒配管６を配置した機械室７とに仕切られている。また機械室７と送風室４とに跨るように電装部品箱８が配置され電装部品箱８の送風室４側には電装部品の熱を放出する放熱部９を備え、天板２５のフランジ２７には、熱交換器２の熱交換器上端面２８と室外機本体２１の天面との間に、外気取り入れ口２９が設けられ、放熱部９と対向した位置に配置されている。さらに放熱部９には効率よく放熱できるように放熱フィン３０が設けられている。
【００１６】
以上のように構成された空気調和機の室外ユニットについて、以下その動作、作用を説明する。
【００１７】
まず、機械室７側の圧縮機５等が冷凍サイクル運転を行う、一方送風室４では送風機３により外部の空気を熱交換器を通過させ熱交換させた後、本体内部に吸い込む、そして吹き出し口３１より外部へ吹き出す。しかし、一部の空気は天板２５の外気取り入れ口２９より熱交換器２を通過せず、本体内部に吸い込み、放熱部９の放熱フィン３０冷却した後、外部へ吹き出す。また電装部品箱８の内部の電気部品は室外機本体２１の運転を制御するために発熱し、この熱を送風室４側に設けられた放熱部９に伝える。
【００１８】
以上のように、本実施の形態においては天板２５のフランジ２７に外気取り入れ口２９を備え、熱交換器２を通らない外気を直接放熱部９の放熱フィン３０に当てるこが可能となり効率よく放熱フィン３０を冷却することができる。また、冷却風路も室外機本体２１の後ろから前の流であり簡単である。
【００１９】
（実施の形態２）
図２は、本発明の第２の実施の形態の空気調和機の室外ユニットの斜視図である。本実施の形態では天板２５のフランジ２７部に設けられた外気取り入れ口２９から放熱部９の放熱フィン３０へ外気を誘導する誘導部３２を設けている。
【００２０】
以上のように構成された空気調和機の室外機について、以下その動作、作用を説明する。
天板２５の外気取り入れ口２９より熱交換器２を通過せず、本体内部に吸い込まれた空気は誘導部３２に沿って流れ、放熱部９の放熱フィン３０を冷却した後、外部へ吹き出される。また電装部品箱８の内部の電気部品は室外機本体２１の運転を制御するために発熱し、この熱を送風室４側に設けられた放熱部９に伝える。
以上のように、本実施の形態においては天板２５に外気取り入れ口２９を備え、熱交換器を通らない外気を直接放熱部９に当てることが可能となる。また誘導部３２により確実に放熱部９に外気を当てることができる、したがって効率よく放熱部９放熱フィン３０冷却することができる。
なお、本実施の形態において天板２５のフランジ２７部に設けられた外気取り入れ口２９から放熱部９の放熱フィン３０へ外気を誘導する誘導部３２を独立したものとして説明したが図３のように送風室４内に設けられた送風機用電動機３３を取付ける電動機取付け台３４と一体に設けてもよい。さらに、図４、図５のように電装部品箱８と一体に設けてもよい。
（実施の形態３）
図５は、本発明の第３の実施の形態の空気調和機の斜視図である。本実施の形態では天板２５のフランジ２７部に設けられた外気取り入れ口２９から放熱部９の放熱フィン３０へ外気を誘導する誘導部３５を設けている。また前記誘導部３５は少なくとも放熱部９クの放熱フィン３０に対向する位置まで設けられている。
以上のように構成された空気調和機の室外ユニットについて、以下その動作、作用を説明する。
天板２５の外気取り入れ口２９より熱交換器２を通過せず、本体内部に吸い込まれた空気は誘導部３５に沿って流れ、放熱部９の放熱フィン３０を冷却した後外部へ吹き出される。また電装部品箱８の内部の電気部品は室外機本体２１の運転を制御するため発熱し、この熱を送風室４側に設けられた放熱部９に伝える。
以上のように、本実施の形態においては天板２５に外気取り入れ口２９を備え、熱交換器２を通らない外気を直接、放熱部９に当てることを可能とした。またの放熱フィン３０に対向する位置まで誘導部３５が設けられているため、より確実に放熱フィン３０に外気を当てることができる、したがって効率よく放熱フィン３０を冷却することができる。
【産業上の利用可能性】
【００２１】
以上のように、本発明にかかる空気調和機の室外ユニットは、冷房運転時など熱交換器が凝縮器として作用するときでも電装部品の放熱部の冷却を効率良く行なうことが可能となるので、冷凍機等の室外ユニットの用途にも適用できる。
【図面の簡単な説明】
【００２２】
【図１】（ａ）は本発明の実施の形態１における空気調和機の室外ユニットの前面からの斜視図（ｂ）は本発明の実施の形態１における空気調和機の室外ユニットの後面からの斜視図
【図２】本発明の実施の形態２における空気調和機の室外ユニットの斜視図
【図３】本発明の実施の形態２における他の、空気調和機の室外ユニットの斜視図
【図４】（ａ）は本発明の実施の形態２における他の、空気調和機の室外ユニットの斜視図（ｂ）は本発明の実施の形態２における他の、電装部品箱の斜視図
【図５】本発明の実施の形態３における他の、空気調和機の室外ユニットの斜視図
【図６】（ａ）は従来の空気調和機の室外ユニットの平面図（ｂ）は従来の空気調和機の室外ユニットの斜視図
【符号の説明】
【００２３】
２    熱交換器
３    送風機
４    送風室
５    圧縮機
６    冷媒配管
７    機械室
８    電装部品箱
９    放熱部
２１    室外機本体
２５    天板
２６    仕切り板
２７    天面フランジ
２８    熱交換器上端面
２９    外気取り入れ口
３２    誘導部
３３    送風機用電動機
３４    電動機取付け台
【図１】
2005083618.tif 000003
【図２】
2005083618.tif 000004
【図３】
2005083618.tif 000005
【図４】
2005083618.tif 000006
【図５】
2005083618.tif 000007
【図６】
2005083618.tif 000008